(57)【特許請求の範囲】
【請求項１】
加熱炉の出側と圧延機列の入側の間のミルラインで、ローラテーブルで搬送されているビレットを溶接して接続する溶接設備であって、
該溶接設備の入側と出側の間でライン方向に設置した走行レールと、該走行レール上を走行する走行台車に溶接機を搭載した溶接装置と、
前記溶接設備の入側と前記走行台車の間、および前記走行台車と前記溶接設備の出側との間に配置されたローラテーブルに支持されており、前記走行台車に押し引きされてライン方向に伸縮し、ビレットを囲撓する保温カバー群とからなる
ことを特徴とするミルライン用ビレット溶接設備。
【請求項２】
前記保温カバー群が、
前記溶接設備の入側および出側に固定された固定保温カバーと、
前記走行台車に連結され該走行台車と共に移動する移動保温カバーと、
前記固定保温カバーと前記移動保温カバーの間に位置し、前記移動保温カバーに追随して移動する従動保温カバーとからなる
ことを特徴とする請求項１記載のミルライン用ビレット溶接設備。
【請求項３】
前記固定保温カバー、移動保温カバーおよび従動保温カバーが、いずれもサポートローラの上方でビレットの左右両側と上面に配置されたコ形の上部カバーと、サポートローラの下方でビレットの下面に配置された平板上の下部カバーとからなる
ことを特徴とする請求項２記載のミルライン用ビレット溶接設備。
【発明の詳細な説明】
【０００１】
【発明の属する技術分野】
本発明は、ミルライン用ビレット溶接設備に関する。さらに詳しくは、線材あるいは棒鋼をミルラインにおいて連続圧延する際、加熱炉から取り出した多数のビレットを一続きになるように、端部同士を溶接する溶接設備に関する。
【０００２】
【従来の技術】
図６は代表的な多条ミルラインのブロック図であり、100 は加熱炉、Ｌ１、Ｌ２、Ｌ３は圧延ラインである。各圧延ラインには、粗圧延機列101 、中間圧延機列102 、仕上圧延機列103 が順に配置されている。粗圧延機列101 と加熱炉100 の間はビレット溶接ゾーンであって、溶接装置Ａが設置されている。この溶接装置Ａによって、先行ビレットＢ１と後行のビレットＢ２とを、端部同士で溶接して接続し、さらに後続のビレットも次々と溶接していけば、多数のビレットは一続きの長い棒線材となり、各圧延機列の各ミルに入っていく際に、ロールに突っかかってラインストップさせるような不都合が生じなくなる。
【０００３】
ところで、溶接装置Ａでビレットを一続きに溶接している間、高温のビレットが温度降下しないようにしないと、圧延機群での圧延に支障をきたすので、圧延機群に入る前に再度、小形の加熱炉で加温しなければならなくなる。このように小形の加熱炉を設けることは設備費が高騰するので、現在は溶接走行中のビレットを保温する対応が種々検討されている。
ところで、溶接装置Ａはビレットの搬送に同期して走行するので、固定式の保温カバーを取付けることはできない。
そこで、特開昭５８−１５４４０９号公報に記載の従来例Ｉでは、可撓性のある耐熱ベルトを用いて圧延素材の上面を覆い、溶接装置Ａは、その耐熱ベルトを撓ませながら、走行するようにしている。
また、特開昭５８−１３５７１２号公報に記載の従来例IIでは、保温カバーを長手方向に数分割し、溶接装置が走行する位置のカバーをスイングアーム等の開閉装置を用いて上方に開き、溶接装置を通しながら、それ以外のカバーを閉じておくように構成されている。
【０００４】
【発明が解決しようとする課題】
しかるに、前記従来例Ｉでは、可撓性素材を用いているため、耐久力が弱く、さらに、耐熱材等の貼付も十分にできないので、保温効果に劣るという問題がある。
また、前記従来例IIでは、スイングアーム等の開閉装置やそのスイングアームを走行させる設備に、費用がかかり、構成が複雑になるという問題がある。
【０００５】
本発明はかかる事情に鑑み、溶接装置が溶接しながら走行しているときに、ビレットの温度降下を防止して高温に維持でき、装置寿命が長くてコンパクトなビレット溶接設備を提供することを目的とする。
【０００６】
【課題を解決するための手段】
請求項１のミルライン用ビレット溶接設備は、加熱炉の出側と圧延機列の入側の間のミルラインで、ローラテーブルで搬送されているビレットを溶接して接続する溶接設備であって、該溶接設備の入側と出側の間でライン方向に設置した走行レールと、該走行レール上を走行する走行台車に溶接機を搭載した溶接装置と、前記溶接設備の入側と前記走行台車の間、および前記走行台車と前記溶接設備の出側との間に配置されたローラテーブルに支持されており、前記走行台車に押し引きされてライン方向に伸縮し、ビレットを囲撓する保温カバー群とからなることを特徴とする。
請求項２のミルライン用ビレット溶接設備は、請求項１記載の発明において、前記保温カバー群が、前記溶接設備の入側および出側に固定された固定保温カバーと、前記走行台車に連結され該走行台車と共に移動する移動保温カバーと、前記固定保温カバーと前記移動保温カバーの間に位置し、前記移動保温カバーに追随して移動する従動保温カバーとからなることを特徴とする。
請求項３のミルライン用ビレット溶接設備は、請求項２記載の発明において、前記固定保温カバー、移動保温カバーおよび従動保温カバーが、いずれもサポートローラの上方でビレットの左右両側と上面に配置されたコ形の上部カバーと、サポートローラの下方でビレットの下面に配置された平板上の下部カバーとからなることを特徴とする。
【０００７】
請求項１の発明によれば、走行台車が走行している間に、保温カバー群が伸縮しながら高温のビレットを囲撓しているので、ビレットの温度降下は避けられ、後工程の圧延が円滑に行われる。また、保温カバー群が伸縮することにより、溶接装置の走行も支障なく行える。
請求項２の発明によれば、溶接装置がどの走行位置にいても、固定保温カバーによって溶接設備の入側と出側付近のビレットが保温され、移動保温カバーによって溶接装置の前後付近のビレットが保温され、さらに、それらの中間のビレットが従動保温カバーによって保温されるので、ビレットは出側に向けて走行している間、保温され続け、温度降下することがない。よって、後工程の圧延が円滑に行われ、溶接装置の走行も支障なく行える。
請求項３の発明によれば、ビレットを支え搬送させるローラテーブルを境にして、上部カバーと下部カバーに分けているので、ローラテーブルに干渉することなく、ビレットを保温できる。
【０００８】
【発明の実施の形態】
つぎに、本発明の実施形態を図面に基づき説明する。
図１は溶接装置Ａが溶接開始位置Ｓにある溶接設備の側面図、図２は溶接装置Ａが溶接終了位置Ｅにある溶接設備の側面図、図３は保温カバー群９の斜視図、図４は保温カバー群９の図１におけるIV線矢視図、図５は保温カバー群９の図１におけるＶ線矢視図である。
【０００９】
まず、図１〜２に基づき、溶接設備の基本構成を説明する。１はパスラインに平行に設置された走行レールで、その上を溶接装置Ａが走行するようになっている。溶接設備の入側には、開閉式のピンチロール２が設置され、出側にはバリ取り３が設置されている。なお、前記ピンチロール２は加熱炉（図示せず）の出側に続いており、前記バリ取り装置は圧延機列（図示せず）の入側に続けられている。
前記溶接装置Ａは、走行レール１上を走行する走行台車５と、該走行台車５上をパスラインに直交する方向にシフト動作するシフト台車７と、シフト台車７上に搭載された公知の溶接機１０とから構成されている。
【００１０】
前記ピンチロール２を経て送り込まれたビレットＢは、出側に送られていき、先行のビレットＢ１の後端と後行のビレットＢ２の前端とは、図１に示す溶接開始位置Ｓにある溶接装置Ａによってクランプされ、図２に示す溶接終了位置Ｅに到達するまでの走行中に溶接される。
溶接完了した溶接装置Ａは再び元の溶接開始位置Ｓに復帰し、隣接ラインのビレットを溶接する体制に入る。このような作業を繰り返すことにより、全ラインの各ビレットが次々と溶接され、一続きのビレットＢとして、各圧延機群に送られていくことになる。
【００１１】
さらに、図１〜２において、４ａ〜４ｉはローラテーブル群で、溶接設備の入側と溶接装置Ａとの間、および溶接装置Ａと溶接設備の出側との間に設けられている。
溶接設備の入側に設けられたローラテーブル４ａは、入側で固定された固定ローラテーブルであり、ローラテーブル４ｄは溶接装置Ａの走行台車５に固定されており、走行台車５と共に移動する移動ローラテーブルである。固定ローラテーブル４ａと移動ローラテーブル４ｄの間の２基のローラテーブル４ｂ、４ｃは、移動ローラテーブル４ｄに追随して移動する従動ローラテーブルである。
溶接設備の出側に設けられたローラテーブル４ｉは、出側で固定された固定ローラテーブルであり、ローラテーブル４ｅは溶接装置Ａの走行台車５に固定され、走行台車５と共に移動する移動ローラテーブルである。固定ローラテーブル４ｉと移動ローラテーブル４ｅの間の３基のローラテーブル４ｆ、４ｇ、４ｈは、移動ローラテーブル４ｅに追随して移動する従動ローラテーブルである。
【００１２】
図４〜５に示すように、各ローラテーブルは、テーブル架台４１にサポートロール４５を設置した構成である。テーブル架台４１は、左右の脚部４２、４２を有し、両脚部４２、４２の上端同士を連結板４３で連結した門形の構成部材である。各脚部４２の下端には車輪４４が軸着されており、前記走行レール１上を走行するようになっている。そして、前記連結板４３の上面に、ビレットＢを支持するサポートロール４５が軸受等で回転自在に取付けられている。このサポートロール４５は、パスラインの本数分だけ並列して設置されている。
【００１３】
前記テーブル架台４１は隣接する架台同士が開閉自在なＸ形リンク５０で互いに連結されており、走行台車５の走行により、ローラテーブルを押したり引いたりすることができるので、図１に示すように、溶接装置Ａが溶接開始位置Ｓにいるときは、入側のローラテーブル群４ａ〜４ｄが収縮し、出側のローラテーブル群４ｅ〜４ｉが拡張した状態で、ビレットＢを支える。また、図２に示すように、溶接装置Ａが溶接終了位置Ｅに到達したときは、入側のローラテーブル群４ａ〜４ｄが拡張し、出側のローラテーブル群４ｅ〜４ｉが収縮した状態で、ビレットＢを支える。もちろん、溶接装置Ａの走行中は、入側と出側の両方のローラテーブル群４ａ〜４ｉが拡縮しながらビレットＢを支えることになる。
【００１４】
つぎに、保温カバー群９の詳細を説明する。
この保温カバー群９は溶接設備の入側と溶接装置Ａとの間の保温カバー９ａ〜９ｃ（図２参照）、および溶接装置Ａと溶接設備の出側との間の保温カバー９ｅ〜９ｇ（図１参照）から構成されている。
図２に示すように、溶接設備に入側に設けられた保温カバー９ａは、入側で固定された固定保温カバーであり、保温カバー９ｃは溶接装置Ａの走行台車５に固定されており、走行台車５と共に移動する移動保温カバーである。固定保温カバー９ａと移動保温カバー９ｃの間の保温カバー９ｂは、移動保温カバー９ｃに追随して移動する従動保温カバーである。
図１に示すように、溶接設備の出側に設けられた保温カバー９ｇは、出側で固定された固定保温カバーであり、保温カバー９ｅは溶接装置Ａの走行台車５に固定され、走行台車５と共に移動する移動保温カバーである。固定保温カバー９ｇと移動保温カバー９ｅの間の保温カバー９ｆは、移動保温カバー９ｅに追随して移動する従動保温カバーである。
【００１５】
つぎに、各保温カバー９ａ〜９ｇの詳細を図３〜５に基づき説明する。
各保温カバーは、ビレットＢを搬送するサポートローラ４５の上方で、ビレットＢの左右両側と上面に配置されたコ形の上部カバー９１と、テーブル架台４１を構成する連結板４３の下方に配置された平板状の下部カバー９２とから構成されている。前記上部カバー９１は各テーブル架台４１毎に、テーブル架台４１よりミルライン長手方向前後に張出した状態で連結板４３の上面に固定されている。また前記下部カバー９２は各テーブル架台４１毎に、テーブル架台４１よりミルライン長手方向前後に張出した状態で、かつその厚さ分だけ上下に位置をズラせて、連結板４３の下面または脚部４２に固着されている。連結板４３より張出した上部カバー９１の下端縁は隣接するテーブル架台４１の上面に達する長さを有している。
【００１６】
上記のように上部カバー９１と下部カバー９２が分離しているため、溶接装置Ａが溶接しながら走行しているときにローラテーブル４ａ〜４ｉやテーブル架台４１を構成する連結板４３や脚部４２と干渉することはない。しかも、ビレットＢの周囲のほとんどを囲撓しているので、保温効果は十分である。
また、上部カバー９１と下部カバー９２は、形状が一定であり、しかも各面が平坦であるので、種々の断熱材を貼付することが任意に行える。このため保温効果を十分高くすることができる。
【００１７】
本実施形態の溶接設備は、上記の構成であるので、溶接装置Ａの走行を邪魔することなく、各保温カバー９ａ〜９ｇが伸縮しながら、ビレットＢからの放熱を防止するので、ビレットＢの温度降下をほとんど防止することができる。また、保温カバー９ａ〜９ｇの伸縮に複雑な開閉装置等を必要としない構成であるので、シンプルであり、設備費も低廉である。しかも、任意の断熱材を貼付できるので、保温効果が高く、寿命も長いという利点がある。
【００１８】
【発明の効果】
請求項１の発明によれば、走行台車が走行している間に、保温カバー群が伸縮しながら高温のビレットを囲撓しているので、ビレットの温度降下は避けられ、後工程の圧延が円滑に行われる。また、保温カバー群が伸縮することにより、溶接装置の走行も支障なく行える。
請求項２の発明によれば、溶接装置がどの走行位置にいても、固定カバーと移動カバーと従動カバーによって保温されるので、ビレットは出側に向けて走行している間、保温され続け、温度降下することがない。よって、後工程の圧延が円滑に行われ、溶接装置の走行も支障なく行える。
請求項３の発明によれば、ビレットを支え搬送させるローラテーブルを境にして、上部カバーと下部カバーに分けているので、ローラテーブルに干渉することなく、ビレットを保温できる。
【図面の簡単な説明】
【図１】  同溶接装置Ａが溶接開始位置Ｓにある溶接設備の側面図である。
【図２】  同溶接装置Ａが溶接終了位置Ｅにある溶接設備の側面図である。
【図３】  保温カバー群９の斜視図である。
【図４】  保温カバー群９の図１におけるIV線矢視図である。
【図５】  保温カバー群９の図１におけるＶ線矢視図である。
【図６】  多条ミルラインのブロック図である。
【符号の説明】
１          走行レール
４ａ〜４ｉ  ローラテーブル
５          走行台車
９          保温カバー群
９ａ〜９ｇ  保温カバー
１０          溶接機
４２          脚部
４３          連結板
４５          サポートロール
９１          上部カバー
９２          下部カバー
【図１】
0004139495.tif 000002
【図２】
0004139495.tif 000003
【図３】
0004139495.tif 000004
【図４】
0004139495.tif 000005
【図５】
0004139495.tif 000006
【図６】
0004139495.tif 000007